(57)【要約】【課題】端子配置治具を用いることで所要数の端子をまとめてコネクタハウジングに組み付けるようにして組み立てられるコネクタにおける端子間ピッチ不安定問題を解消可能とする端子配置治具の提供。【解決手段】端子配置治具４１は、所定の配列パターンで設けられた仮保持穴４４に端子４を個々に挿入して仮保持させることで、組立対象のコネクタのコネクタハウジングにおける端子配置パターンの端子配置セット５１を形成し、この端子配置セットについて圧入を行うことで端子のコネクタハウジングへの組付けを行うようになっている。そして位置決め孔４６が設けられた端子位置決め部材４３を有しており、この端子位置決め部材に位置決め動Ｓを行わせることで端子を仮保持穴内で移動させ、この移動により端子に仮保持穴内での位置決めをなさせるようにされている。【選択図】  図２
2010040224.tif 000002
【特許請求の範囲】
【請求項１】
所要数の挿通孔が所定の配列パターンで設けられた端子保持壁を有するコネクタハウジングに所要数の端子を前記挿通孔への挿通で保持させることにより所定の配置パターンで組付けてなるコネクタにおける前記各端子の前記挿通孔への挿通に用いられ、前記端子保持壁における前記挿通孔の配列パターンに対応する配列パターンで仮保持穴が設けられおり、前記仮保持穴に前記所要数の端子を個々に挿入して仮保持させることで、前記コネクタハウジングにおける端子組付けの配置パターンに対応する配置パターンを前記所要数の端子に与えた端子配置セットを形成し、この端子配置セットについて圧入を行うことで前記所要数の端子の前記挿通孔への挿通をなすようになっている端子配置治具において、
前記仮保持穴の配列パターンに対応する配列パターンで位置決め孔が設けられるとともに、前記仮保持穴の軸方向に直交する面内での移動として位置決め動をなせるようにして組み込まれた端子位置決め部材を備え、そして前記位置決め孔を挿通するようにして前記端子が前記仮保持穴に挿入された状態で前記端子位置決め部材に前記位置決め動を行わせ、この位置決め動により前記位置決め孔の内側面を前記端子に押接させて前記端子を前記仮保持穴内で移動させ、この移動により前記端子に前記仮保持穴内での位置決めをなさせるようにされていることを特徴とする端子配置治具。
【請求項２】
前記位置決め孔は、それぞれ逆方向に傾くテーパ面を前記位置決め動方向で末広がりとなるように組み合わせて形成された位置決めガイド面部を前記内側面の一部として有しており、前記位置決め動に際して前記位置決めガイド面部を前記端子に押接させることで、前記位置決め動方向に直交する方向についての前記仮保持穴の中心に対する前記端子の位置決めをなさせるようにされていることを特徴とする請求項１に記載の端子配置治具。
【請求項３】
請求項１又は請求項２に記載の端子配置治具を用いてなされるコネクタの組立方法であって、
前記端子配置治具の仮保持穴に前記所要数の端子を個々に挿入して仮保持させることで前記端子配置セットを形成する端子配置セット形成工程、及び前記端子配置セットについて前記圧入を行う圧入工程を含み、さらに前記圧入工程の前又は前記圧入工程の後に、前記端子位置決め部材に前記位置決め動を行わせる端子位置決め工程を含むことを特徴とする組立方法。
【発明の詳細な説明】
【技術分野】
【０００１】
本発明は、コネクタのハウジングに所要数の端子を所定の配置パターンでまとめて組付けるのに用いられる端子配置治具に関し、またそのような端子配置治具を用いてなされるコネクタの組立方法に関する。
【背景技術】
【０００２】
コネクタの１つとして多ピン型コネクタがある。多ピン型コネクタは、一般的に、所要数の挿通孔が一定の配列パターンで設けられた端子保持壁を有するコネクタハウジングを備え、そのコネクタハウジングに所要数の端子を端子保持壁における挿通孔への圧入・挿通で保持させることにより所定の配置パターンで組付けて構成される。
【０００３】
このような多ピン型コネクタの代表的な例として、車両のワイヤハーネスにおける分岐路の接続などに用いられるジョイントコネクタがある。そしてジョイントコネクタとしては、図８〜図１１に示すようなジョイントコネクタ１が代表的なものとして知られている。なお、図８は、ジョイントコネクタ１の全体を簡略化した斜視状態で示し、図９は、図８中のＡ−Ａ線に沿う断面を簡略化して示し、図１０は、図９の断面を部分的に拡大して示し、図１１は、ジョイントコネクタ１の組立工程をイメージ化して示している。
【０００４】
ジョイントコネクタ１は、基板組込み式の雄コネクタの場合で、コネクタハウジング２、回路基板３（図９〜図１１）、及び所要数の雄端子４を備えている。
【０００５】
コネクタハウジング２は、全体的として前部側が開放された函状に形成され、仕切り壁５で仕切ることにより、開放の前部側が複数（図の例では２つ）の嵌合部６、６となるようにされており、これら嵌合部６、６で図外の接続相手コネクタとの接続における嵌合をなせるようにされている。
【０００６】
またコネクタハウジング２は、図９〜図１１に示すように、後部側に端子保持壁７と基板組込み部８が設けられている。端子保持壁７は、コネクタハウジング２の後部側を塞ぐようにして設けられおり、ジョイントコネクタ１で必要となる雄端子４の数に応じた数の挿通孔９が所定の配列パターン（図１１）で形成されている。基板組込み部８は、端子保持壁７に隣接させて設けられ、端子保持壁７に接触状態で対面するようにして回路基板３を組み込むことができるようにされている。
【０００７】
回路基板３は、端子保持壁７における挿通孔９と同じ数の挿入孔１１が挿通孔９の配列パターンに対応する配列パターンで形成されており、その表裏各面に所定の回路パターンで導電路（図示を省略）が形成され、また挿入孔１１の内周面に導電層（図示を省略）が形成されている。
【０００８】
雄端子４は、全体として角形のピン状に形成され、接続部１２、挿通部１３及び挿入部１４を有している。接続部１２は、図外の接続相手コネクタの雌端子と電気的に接続する部位であり、平坦な接続面を有するようにされている。挿通部１３は、端子保持壁７における挿通孔９に挿通する部位である。この挿通部１３は、環状の突条１５ａと突条１５ｂが設けられており、挿通孔９に挿通した際に、突条１５ａが挿通孔９に形成の逃げ溝１６に臨み、突条１５ｂが挿通孔９に圧入するようにされている。挿入部１４は、回路基板３における挿通孔９に挿入される部位である。この挿入部１４は、雄端子４の軸方向と直交する方向に弾性変形可能とされたプレスフィット部１７を設けることでプレスフィット接続構造に形成され、回路基板３の挿入孔１１に挿入された際にプレスフィット部１７が挿入孔１１に押接して挿入孔１１の導電層に対する電気的接続をなすようにされている。
【０００９】
以上のようなジョイントコネクタ１は図１１に示すような手順で組み立てられる。まずコネクタハウジング２の基板組込み部８に回路基板３を組み込むことにより基板組込み体２１を形成する（図１１の（ａ）、（ｃ））。その一方で、ジョイントコネクタ１で必要とする数の雄端子４を端子配置治具２２に仮保持させて端子配置セット２３を形成する（図１１の（ｂ）、（ｃ））。ここで、端子配置治具２２は、図１２に示すように、中実なブロックとして構成され、端子保持壁７における挿通孔９と同じ数の仮保持穴２４が挿通孔９の配列パターンに対応する配列パターンで形成されている。そして仮保持穴２４に雄端子４を１つずつ挿入する（この挿入は、接続部１２の部分についてなされる、つまり挿通部１３と挿入部１４が端子配置治具２２から突出するようにしてなされる）ことにより、ジョイントコネクタ１で必要とする数の雄端子４がコネクタハウジング２における雄端子４の配置パターンで端子配置治具２２に仮保持され、これにより端子配置セット２３が形成される。
【００１０】
次いで、基板組込み体２１と端子配置セット２３の位置合わせを行った後、圧入治具２５により基板組込み体２１を押圧することで端子配置セット２３における各雄端子４の基板組込み体２１に対する圧入操作を行う。そしてこの圧入操作により、図８や図９におけるように、雄端子４の挿通部１３を基板組込み体２１における挿通孔９に挿通させるとともに、雄端子４の挿入部１４を基板組込み体２１における挿入孔１１に挿入させて端子配置セット２３における各雄端子４をまとめてコネクタハウジング２に組み付ける。
【００１１】
なお、以上のようなジョイントコネクタについては、例えば特許文献１や特許文献２などに開示の例が知られている。
【００１２】
【特許文献１】特開２００６−２１６５０１号公報
【特許文献２】特開２００７−３１１０９２号公報
【発明の開示】
【発明が解決しようとする課題】
【００１３】
上述のようなジョイントコネクタ１、つまり端子配置治具２２を用いて形成する端子配置セット２３により所要数の雄端子４をまとめてコネクタハウジング２に組み付けるようにして組み立てられるジョイントコネクタ１には、コネクタハウジング２に組み付けられた雄端子４についてそれらの端子間ピッチが一定しないという端子間ピッチ不安定問題がある。
【００１４】
図１３は端子間ピッチ不安定問題を説明する図である。図１３の（ａ）〜（ｅ）に示すように、雄端子４には押接側面３１と非押接側面３２があり、挿通孔９には押接受け面３３と非押接受け面３４があり、挿入孔１１には押接受け面３５と非押接受け面３６がある。そして押接側面３１は、圧入により挿通孔９の押接受け面３３や挿入孔１１の押接受け面３５に押接する状態となるが、非押接側面３２については、挿通孔９の非押接受け面３４や挿入孔１１の非押接受け面３６との間に隙間Ｃａや隙間Ｃｂが介在して遊びがあるようにされている。これは圧入抵抗を抑えるためであり、このような隙間Ｃａや隙間Ｃｂによる遊びがあることにより、雄端子４は、矢印Ｂの方向における挿通孔９内や挿入孔１１内での位置が隙間Ｃａや隙間Ｃｂの範囲で定まらないことになる。
【００１５】
また図１３の（ｅ）に示すように、雄端子４と仮保持穴２４の間にも隙間Ｃｄによる遊びがある。これは雄端子４を仮保持穴２４に挿入する際の挿入性を高めるために必要とされるもので、このよう隙間Ｃｄによる遊びがあることにより、雄端子４は、仮保持穴２４内での位置が隙間Ｃｄの範囲で定まらないことになる。そしてこの端子配置治具２２における仮保持穴２４内での雄端子４の位置不安定性がコネクタハウジング２への組付け後の挿通孔９内や挿入孔１１内での雄端子４の位置不安定化に結び付き、端子間ピッチ不安定問題がもたらされる。つまり端子間ピッチ不安定問題は、圧入抵抗の抑制や挿入性の向上のために必要とされる雄端子４に対する遊びによりもたらされるもので、これにより雄端子４の端子間ピッチが一定しない状態になると、接続相手のコネクタにおける雌端子との接続が安定的になせなくなるおそれがある。
【００１６】
本発明は、以上のような事情を背景になされたものであり、上述のような端子間ピッチ不安定問題の効果的な解消を可能とする端子配置治具の提供を第１の課題として、そのような端子配置治具を用いたコネクタの組立方法の提供を第２の課題としている。
【課題を解決するための手段】
【００１７】
本発明では、上記第１の課題を解決するために、所要数の挿通孔が所定の配列パターンで設けられた端子保持壁を有するコネクタハウジングに所要数の端子を前記挿通孔への挿通で保持させることにより所定の配置パターンで組付けてなるコネクタにおける前記各端子の前記挿通孔への挿通に用いられ、前記端子保持壁における前記挿通孔の配列パターンに対応する配列パターンで仮保持穴が設けられており、前記仮保持穴に前記所要数の端子を個々に挿入して仮保持させることで、前記コネクタハウジングにおける端子組付けの配置パターンに対応する配置パターンを前記所要数の端子に与えた端子配置セットを形成し、この端子配置セットについて圧入を行うことで前記所要数の端子の前記挿通孔への挿通をなすようになっている端子配置治具において、前記仮保持穴の配列パターンに対応する配列パターンで位置決め孔が設けられるとともに、前記仮保持穴の軸方向に直交する面内での移動として位置決め動をなせるようにして組み込まれた端子位置決め部材を備え、そして前記位置決め孔を挿通するようにして前記端子が前記仮保持穴に挿入された状態で前記端子位置決め部材に前記位置決め動を行わせ、この位置決め動により前記位置決め孔の内側面を前記端子に押接させて前記端子を前記仮保持穴内で移動させ、この移動により前記端子に前記仮保持穴内での位置決めをなさせるようにされていることを特徴としている。
【００１８】
このような端子配置治具では、端子位置決め部材により仮保持穴内で端子を一定の位置に位置決めさせることができ、したがって仮保持穴内での端子の位置を一定化させることができる。このためコネクタハウジングに組み付けられた端子の端子間ピッチを一定化させることができ、端子間ピッチ不安定問題を効果的に解消することができる。
【００１９】
上記のような端子配置治具における端子位置決め部材の位置決め動は、１つの方向での移動であるＸ動とこれに直交する方向での移動であるＹ動の組合せとして行わせることも可能であるが、１つの方向での移動だけで位置決め動をなせるようにするのがより好ましい。
【００２０】
こうしたことから本発明では、上記のような端子配置治具について、前記位置決め孔は、それぞれ逆方向に傾くテーパ面を前記位置決め動方向で末広がりとなるように組み合わせて形成された位置決めガイド面部を前記内側面の一部として有しており、前記位置決め動に際して前記位置決めガイド面部を前記端子に押接させることで、前記位置決め動方向に直交する方向についての前記仮保持穴の中心に対する前記端子の位置決めをなさせるようにすることを好ましい形態としている。
【００２１】
このような端子配置治具では、テーパ面構造の位置決めガイド面部により仮保持穴の中心に対する端子の位置決めを行うことができ、したがって位置決め動を１つの方向での移動だけで済ませることができる。
【００２２】
以上のような端子配置治具を用いてなされるコネクタの組立方法は、前記仮保持穴に前記所要数の端子を個々に挿入して仮保持させることで前記端子配置セットを形成する端子配置セット形成工程、及び前記端子配置セットについて前記圧入を行う圧入工程を含み、さらに前記圧入工程の前又は前記圧入工程の後に、前記端子位置決め部材に前記位置決め動を行わせる端子位置決め工程を含むことになる。
【発明の効果】
【００２３】
以上のような本発明によれば、端子配置治具を用いることで所要数の端子をまとめてコネクタハウジングに組み付けるようにして組み立てられるコネクタにおける端子間ピッチ不安定問題を効果的に解消することができる。
【発明を実施するための最良の形態】
【００２４】
以下、本発明を実施するための形態について説明する。図１〜図４に、第１の実施形態による端子配置治具４１の構成を示す。端子配置治具４１は、治具本体部材４２と端子位置決め部材４３で構成される。この端子配置治具４１は、例えば上述の図８〜図１１におけるジョイントコネクタ１の組立に用いられる。そこで、以下では端子配置治具４１をジョイントコネクタ１の組立に用いる場合として説明する。
【００２５】
治具本体部材４２は、中実なブロックとして構成され、仮保持穴４４が設けられるとともに、位置決め部材組込み部４５が設けられている。仮保持穴４４は、これに仮保持のために挿入される角形の雄端子４（図２〜図４）に対して適度な遊びを持つサイズの角形に形成されている。また仮保持穴４４は、ジョイントコネクタ１のコネクタハウジング２の端子保持壁７における挿通孔９と同じ数で設けられて仮保持穴群４４ｇを形成しており、その仮保持穴群４４ｇにあって挿通孔９の配列パターンに対応する配列パターンとなるようにされている。
【００２６】
位置決め部材組込み部４５は、後述のような端子位置決め部材４３を密接状態で組み込むのに用いられる。そのため位置決め部材組込み部４５は、仮保持穴２４に直交する方向に延在し、かつ仮保持穴群４４ｇの全体をカバーする平板状の空隙として形成され、その厚みは端子位置決め部材４３の厚み程度とされている。
【００２７】
端子位置決め部材４３は、仮保持穴群４４ｇの全体をカバーするサイズの平板として構成されおり、位置決め部材組込み部４５を介して治具本体部材４２に組み込まれ、仮保持穴の軸方向に直交する面内における移動であり、図２〜図４中に示す矢印Ｓの方向での移動である位置決め動（以下では適宜に位置決め動Ｓと記述する）を行えるようにされている。
【００２８】
また端子位置決め部材４３は、位置決め孔４６が設けられている。位置決め孔４６は、端子位置決め部材４３を貫通するように形成され、その孔幅サイズが仮保持穴４４の穴幅サイズより若干大きくなるようにされている。また位置決め孔４６は、図４に示すように、その内側面の一部として位置決めガイド面部４７が設けられている。位置決めガイド面部４７は、それぞれ逆方向に傾く一対のテーパ面４８、４８を位置決め動Ｓの方向で末広がりとなるように組み合わせて形成されており、その中心点４９、つまりテーパ面４８、４８の交点が位置決め孔４６の中心線５０上にあるようにされている。
【００２９】
さらに位置決め孔４６は、治具本体部材４２における仮保持穴４４と同じ数で設けられて位置決め孔群４６ｇを形成しており、その位置決め孔群４６ｇにあって仮保持穴４４の配列パターンに対応する配列パターンとなるようにされている。
【００３０】
以上のような端子配置治具４１では、治具本体部材４２の仮保持穴４４に挿入・仮保持させた雄端子４の仮保持穴４４内での位置決めを強制的になさせることができる。以下ではその位置決め操作について説明する。
【００３１】
雄端子４は、図２〜図４それぞれの（ａ）に示すように、端子位置決め部材４３が初期セット位置にある状態で仮保持穴４４のそれぞれに挿入されて仮保持させる。ここで、端子位置決め部材４３の初期セット位置とは、端子位置決め部材４３の位置決め孔群４６ｇにおける各位置決め孔４６が治具本体部材４２の仮保持穴群４４ｇにおける各仮保持穴４４に位置対応し、かつその位置対応にあって位置決め孔４６の内側面が仮保持穴４４の内側面からはみ出ることがないように端子位置決め部材４３を位置決め部材組込み部４５にセットしてある状態である。
【００３２】
このように雄端子４が仮保持穴４４に仮保持された状態で、図２〜図４それぞれの（ｂ）に示すように、端子位置決め部材４３に位置決め動Ｓを行わせる。すると、その位置決め動Ｓにより端子位置決め部材４３は位置決め孔４６の内側面、具体的には位置決めガイド面部４７を雄端子４に押接させ、これを受けて雄端子４は、位置決めガイド面部４７における一対のテーパ面４８、４８により強制的にガイドされ、これにより仮保持穴４４内において位置決め動方向に直交する方向について移動するとともに、位置決め動方向についても移動する。このため雄端子４は、位置決め動方向の移動により角形の仮保持穴４４における４つの内側面の内の１つ内側面（これは雄端子４の非押接側面３２に対応し、したがって挿通孔９の非押接受け面３４や挿入孔１１の非押接受け面３６に対応する）に密接する状態になって位置決め動方向についての位置決めをなすとともに、位置決めガイド面部４７で強制される位置決め動方向に直交する方向の移動により位置決め動方向に直交する方向についての位置決め、具体的には位置決め動方向に直交する方向についての仮保持穴４４の中心に対する位置決めをなす。この結果、雄端子４は、仮保持穴４４内における一定の位置、具体的には角形の仮保持穴４４における１つの内側面に密接し、かつ雄端子４の断面における中心線を仮保持穴４４の中心線と一致させる状態の位置に位置決めする。
【００３３】
次に、以上のような端子配置治具４１を用いてなされるジョイントコネクタ１の組立方法について説明する。端子配置治具４１を用いてなされるジョイントコネクタ１の組立は、図５に示すように、コネクタハウジング２にその基板組込み部８で回路基板３を組み込んで基板組込み体２１を形成する基板組込み体形成工程（図５の（ａ）、（ｃ））、端子配置治具４１の各仮保持穴４４にジョイントコネクタ３１で必要とする数の雄端子４を個々に挿入して仮保持させることで上述の図１１における端子配置セット２３と同様な端子配置セット５１を形成する端子配置セット形成工程（図５の（ｂ）、（ｃ））、及び端子配置セット５１における各雄端子４を基板組込み体２１に対して圧入治具２５により圧入する圧入工程を含む作業としてなされ、さらに端子位置決め部材４３に上述のような位置決め動を行わせる端子位置決め工程を含む。ただし、端子位置決め工程は、圧入工程前又は圧入工程後のいずれであってもよく、圧入工程の前とする場合には、端子配置セット形成工程に含ませるようにしてもよい。
【００３４】
ここで、端子位置決め部材４３については、その位置決め動Ｓを行わせるための操作機構を設けるようにしてもよく、適宜な構造の操作機構を設けることにより、圧入工程後になす端子位置決めにおける位置決め動操作を行わせ易くすることができる。すなわち圧入工程後に端子位置決めを行うようにする場合には、図５の（ｃ）に示すように、端子配置セット５１がコネクタハウジング２の嵌合部６に入り込んだ状態となるが、適宜な構造の操作機構を設けることにより、このような状態での位置決め動操作を行わせ易くなる。なお、端子配置治具４１の治具本体部材４２や端子位置決め部材４３には、コネクタハウジング２における仕切り壁５を受け入れるための切り込み部が設けられることになるが、その図示は省略してある。
【００３５】
以上のように端子配置治具４１は、端子位置決め部材４３により仮保持穴４４内で雄端子４を一定の位置に位置決めさせることができ、したがって仮保持穴４４内での雄端子４の位置を一定化させることができる。このためコネクタハウジング２に組み付けられた雄端子４の端子間ピッチを一定化させることができ、端子間ピッチ不安定問題を効果的に解消することができる。
【００３６】
次に第２の実施形態について説明する。図６と図７に第２の実施形態による端子配置治具６１の構成を示す。端子配置治具６１は、端子位置決め部材６２を備えている。端子位置決め部材６２は、基本的には第１の実施形態における端子位置決め部材４３と同様で、位置決め孔６３の形状と位置決め動の動作方向に関して端子位置決め部材４３と相違している。
【００３７】
位置決め孔６３は、仮保持穴４４と同様な角形とされている。このため位置決め孔６３により雄端子４に位置決めさせるには、１つの方向での移動であるＸ動とこれに直交する方向での移動であるＹ動の組合せとなる位置決め動を端子位置決め部材６２に行わせることになる。すなわちまず端子位置決め部材６２に位置決め動Ｘを行わせることで、雄端子４を位置決め動Ｘの方向に移動させて仮保持穴４４における内側面の１つに押接させ、これにより位置決め動Ｘの方向についての雄端子４の位置決めをなさせ（図７の（ｂ））、次いで端子位置決め部材６２に位置決め動Ｙを行わせることで、雄端子４を位置決め動Ｙの方向に移動させて仮保持穴４４における内側面の他の１つに押接させ、これにより位置決め動Ｙの方向についての雄端子４の位置決めをなさせる（図７の（ｃ））。この結果、雄端子４は、仮保持穴４４内における一定の位置、具体的には角形の仮保持穴４４における１つの隅部で仮保持穴４４の内側面に密接する状態の位置に位置決めする。
【００３８】
なお、以上の構成を除いて本実施形態における端子配置治具６１は、第１の実施形態における端子配置治具４１と同様であり、端子配置治具４１と共通する構成については図１〜図４におけるのと同一の符号を付して示し、上での説明を援用するものとする。
【００３９】
以上、本発明を実施するための形態について説明したが、これらは代表的な例に過ぎず、本発明はその趣旨を逸脱することのない範囲で様々な形態で実施することができる。例えば、上記実施形態では端子配置治具をジョイントコネクタの組立に用いる場合としていたが、本発明による端子配置治具はジョイントコネクタ以外のコネクタの組立にも用いることができる。また上記実施形態では端子が角形である場合としていたが、本発明による端子配置治具は角形以外の端子の場合にも適用できる。
【図面の簡単な説明】
【００４０】
【図１】第１の実施形態による端子配置治具の構成を示す図である。
【図２】図１の端子配置治具に端子を仮保持させた状態を縦断面にして示す図である。
【図３】図１の端子配置治具に端子を仮保持させた状態を平面視として示す図である。
【図４】図１の端子配置治具における端子の位置決めについて説明する図である。
【図５】図１の端子配置治具を用いてなされるジョイントコネクタの組立工程をイメージ化して示す図である。
【図６】第２の実施形態による端子配置治具の構成を示す図である。
【図７】図６の端子配置治具における端子の位置決めについて説明する図である。
【図８】従来のジョイントコネクタの全体を簡略化した斜視状態で示す図である。
【図９】図８中のＡ−Ａ線に沿う断面を簡略化して示す図である。
【図１０】図９の断面を部分的に拡大して示す図である。
【図１１】図８のジョイントコネクタの組立工程をイメージ化して示す図である。
【図１２】従来の端子配置治具の構成を縦断面にして示す図である。
【図１３】端子間ピッチ不安定問題を説明する図である。
【符号の説明】
【００４１】
１    ジョイントコネクタ（コネクタ）
２    コネクタハウジング
４    雄端子
７    端子保持壁
９    挿通孔
４１、６１    端子配置治具
４３、６２    端子位置決め部材
４４    仮保持穴
４６、６３    位置決め孔
４７    位置決めガイド面部
４８    テーパ面
５１    端子配置セット
Ｓ    位置決め動
【図１】
2010040224.tif 000003
【図２】
2010040224.tif 000004
【図３】
2010040224.tif 000005
【図４】
2010040224.tif 000006
【図５】
2010040224.tif 000007
【図６】
2010040224.tif 000008
【図７】
2010040224.tif 000009
【図８】
2010040224.tif 000010
【図９】
2010040224.tif 000011
【図１０】
2010040224.tif 000012
【図１１】
2010040224.tif 000013
【図１２】
2010040224.tif 000014
【図１３】
2010040224.tif 000015